(57)【要約】【課題】定規体に取着の目盛機構を構成する目盛板部に付記されている角度目盛及び勾配目盛を定規体等と枢着し、各目盛を回動しながら指示するアングル竿体に水平用気泡管と垂直用気泡管を良く見いるように内設し、別設の水平器を使用することなく水平測定又は水平測定及び垂直測定をも直ちに測定可能とした。【解決手段】内側に湾曲状の窓孔を有する板状定規体の一側面部の所定個所に固着する角度目盛及び勾配目盛を付記した目盛機構と、内側部に水平用気泡管を単独に設けるか、あるいは水平用気泡管と垂直用気泡管を設け、且所定個所に収納し、出入自在な押え板を取着せしめたアングル竿体を別設し、前記アングル竿体の一端部と前記目盛機構に対し回動可能に前記目盛機構を構成する中央部位の下方部とを回動自在に枢着せしめ、前記アングル竿体に固着の基準線を有する指示部によって前記目盛機構の各種の角度目盛及び勾配目盛を指示測定せしめた。【選択図】  図１
2004358852.tif 000002
【特許請求の範囲】
【請求項１】
内側に湾曲状の窓孔を有する板状定規体の一側面部の所定個所に固着する角度目盛及び勾配目盛を付記した目盛機構と、内側部に水平用気泡管を単独に設けるか、あるいは水平用気泡管と垂直用気泡管を設け、且所定個所に収納し、出入自在な押え板を取着せしめたアングル竿体を別設し、前記アングル竿体の一端部と前記目盛機構に対し回動可能に前記目盛機構を構成する中央部位の下方部とを回動自在に枢着せしめ、前記アングル竿体に固着の基準線を有する指示部によって前記目盛機構の各種の角度目盛及び勾配目盛を指示測定せしめることを特徴とする丸ノコカッタ定規。
【請求項２】
前記出入自在なアングル竿体の押え板は、収納時には前記アングル竿体の端部よりはみ出し、前記アングル竿体の底面部よりはみ出さないようにしたことを特徴とする請求項１記載の丸ノコカッタ定規。
【請求項３】
前記定規体は、定規体を構成する左側面部から右側面部に貫通する止めピン又はカール等の止め具を挿入突刺する小孔を複数形成せしめたことを特徴とする請求項１又は請求項２記載の丸ノコカッタ定規。
【請求項４】
前記定規体の一側面部と密着状に取着する目盛機構の取付け位置を、前記定規体の中央部とすることを特徴とする請求項１又は請求項２又は請求項３記載の丸ノコカッタ定規。
【請求項５】
前記アングル竿体の前記気泡管を内設せしめる部材部分の縦断面が、四角形状であることを特徴とする請求項１又は請求項２又は請求項３又は請求項４記載の丸ノコカッタ定規。
【請求項６】
前記目盛機構の目盛板部を構成する内側窓孔と外側窓孔との間の部位に付した左側方及び右側方の勾配目盛より下方部に給排水工事用排水勾配目盛を夫々付記したことを特徴とする請求項１又は請求項２又は請求項３又は請求項４又は請求項５記載の丸ノコカッタ定規。
【発明の詳細な説明】
【０００１】
【発明の属する技術分野】
本発明は、角度又は勾配の測定と、水平、垂直測定も併行して測定可能な丸ノコカッタ定規の分野に関するものである。
【０００２】
【従来の技術】
従来丸ノコカッタ定規として、特許第２６６０６６７号（発明の名称  切断用定規）が開示されている。
【０００３】
この発明は、第１に、ガイド板１に対し、角度確知機構３が、ガイド板１の先端部寄りに取着されている。
【０００４】
さらにこの発明は、第２に、角度確知板に取着の突片が突設されている。
【０００５】
【発明が解決しようとする課題】
本発明は、定規体に取着の目盛機構を構成する目盛板部に付記されている角度目盛及び勾配目盛を、前記定規体等と枢着し、且前記各目盛を回動しながら指示するアングル竿体に、水平用気泡管と垂直用気泡管を良く見いるように内設し、従来の測定である角度及び勾配測定以外に、別設の水平器を使用することなく水平測定又は水平測定及び垂直測定をも直ちに測定可能ならしめた。
【０００６】
さらに本発明は、前記定規体の両側面部に、両側面部を貫通する小孔を設けて、画鋲又はピン又はカルコ等が挿入し、且突刺ができるようにして、カッタ作業時における定規全体を固定させた。
【０００７】
また本発明は、押え板をアングル竿体に収納し出入自在に軸着して、カッタ作業時には取出し、カッタ以外の他の測定作業時には収納して測定時の作業を妨害しないようにした。
【０００８】
さらに本発明は、定規体の長さを長目にして形成し、その定規体の中央部位に前記目盛機構を取着させることによって、屋根勾配等の測定時に、垂直測定用気泡管によって垂直を出しながら定規体を屋根板に確実に当て目盛を常に表面にセットすることができるようにして目盛をみながら正確且迅速に勾配測定ができるようにした。
【０００９】
さらに本発明は、前記のように目盛機構を定規体の中央に取着させる構成とすることによって、板金業者らの測定及びカッタ作業が正確且迅速に処理できるようにした。
【００１０】
また本発明は、目盛板部に給排水工事（側溝、排水パイプ）用の排水勾配目盛を付し、別設の給排水工事用の水平器を使用することなく、極めて迅速且簡便に排水勾配目盛を測定し、作業能率を著しく高めるようにした。
【００１１】
【課題を解決するための手段】
請求項１記載の発明は、内側に湾曲状の窓孔を有する板状定規体の一側面部の所定個所に固着する角度目盛及び勾配目盛を付記した目盛機構と、内側部に水平用気泡管を単独に設けるか、あるいは水平用気泡管と垂直用気泡管を設け、且所定個所に収納し、出入自在な押え板を取着せしめたアングル竿体を別設し、前記アングル竿体の一端部と前記目盛機構に対し回動可能に前記目盛機構を構成する中央部位の下方部とを回動自在に枢着せしめ、前記アングル竿体に固着の基準線を有する指示部によって前記目盛機構の各種の角度目盛及び勾配目盛を指示測定せしめることを特徴とする丸ノコカッタ定規である。
【００１２】
請求項２記載の発明は、前記出入自在なアングル竿体の押え板は、収納時には前記アングル竿体の端部よりはみ出し、前記アングル竿体の底面部よりはみ出さないようにしたことを特徴とする請求項１記載の丸ノコカッタ定規である。
【００１３】
請求項３記載の発明は、前記定規体は、定規体を構成する左側面部から右側面部に貫通する止めピン又はカルコ等の止め具を挿入突刺する小孔を複数形成せしめたことを特徴とする請求項１又は請求項２記載の丸ノコカッタ定規である。
【００１４】
請求項４記載の発明は、前記定規体の一側面部と密着状に取着する目盛機構の取付け位置を、前記定規体の中央部とすることを特徴とする請求項１又は請求項２又は請求項３記載の丸ノコカッタ定規である。
【００１５】
請求項５記載の発明は、前記アングル竿体の前記気泡管を内設せしめる部材部分の縦断面が、四角形状であることを特徴とする請求項１又は請求項２又は請求項３又は請求項４記載の丸ノコカッタ定規である。
【００１６】
請求項６記載の発明は、前記目盛機構の目盛板部を構成する内側窓孔と外側窓孔との間の部位に付した左側方の勾配目盛及び右側方の勾配目盛より下方部に給排水工事用排水勾配目盛を夫々付記したことを特徴とする請求項１又は請求項２又は請求項３又は請求項４又は請求項５記載の丸ノコカッタ定規である。
【００１７】
【発明の実施の形態】
請求項１〜６記載の発明に関する実施の形態は共通しているので、一括して以下のとおり説明する。
【００１８】
図面において、ａは四辺形状にして、且細長く板状の定規体である。この定規体ａは鋼板製である。１は前記定規体ａの水平状の底面部、２は水平状の上面部、３は左側面部、４は左側面部３と対向する右側面部である。４ａは前記左側面部３から右側面部４に貫通する画鋲又はピン又はカルコ等を挿入し、しかも突刺させる貫通孔であり、複数形成する。前記画鋲又はピン又はカルコ等についての図示は省略した。
【００１９】
ｂは前記板状定規体ａの一側面部である右側面部４と下方部を密着し固着せしめる目盛機構であり、以下の構成を有している。
【００２０】
この目盛機構ｂは、図１等に図示されているように、目盛板部５に湾曲状の内側窓孔６と外側にも前記内側窓孔６と等間隔の湾曲状の外側窓孔７を設ける。
【００２１】
８は前記内側窓孔６の内側の目盛板部５に設けた左サイドの下方部が「０」で順次１度刻みで中央部を「９０°」とし、さらに右サイドに行くに従って１°刻みの目盛を付し、最後は「０」とする角度目盛である。さらに前記の角度目盛８よりも内側方の目盛板部５に、右サイドの下方部を「０」とし、順次１０°刻みの度数を表示し、左サイドの下方部を「１８０°」とする内側角度目盛９を設ける。
【００２２】
１０は内側窓孔６と外側窓孔７との間の目盛板部５に設けた勾配目盛であり、以下のように構成されている。
【００２３】
即ち左側方の５つ数字の勾配目盛「３／１０、４／１０、５／１０、６／１０、７／１０」は平勾配の左平勾配目盛１１である。さらに前記左平勾配目盛１１の次に、５つの左返し勾配目盛１２を設ける。この目盛１２は左側方から右側方に順次「７／１０、６／１０、５／１０、４／１０、３／１０」の数字を設ける。
【００２４】
また中心の頂部には、「０」数字を設ける。
【００２５】
さらに前記頂部の「０」の数字の右側方に「３／１０、４／１０、５／１０、６／１０、７／１０」と順次５つの目盛数字の右返し勾配目盛１３を設ける。
【００２６】
また前記右返し勾配目盛１３の右側方には、「７／１０、６／１０、５／１０、４／１０、３／１０」と順次５つの数字の平勾配を測定する右平勾配目盛１４を設ける。
【００２７】
前記右返し勾配目盛１３と右平勾配目盛１４との中間部位に、「１０」の数字の目盛を設ける。前記左平勾配目盛１１と左返し勾配目盛１２との間に、「１０」の数字の目盛を設ける。
【００２８】
１５は前記勾配目盛１０の中、左勾配目盛１１よりも、左下方に付記した数字が「１／１００、１／５０」の給排水工事用の左排水勾配目盛である。
【００２９】
１６は前記排水勾配目盛１５と反対に、右平勾配目盛１４よりも、右下方に設けた数字が「１／１００、１／５０」の給排水工事用の右排水勾配目盛である。
上記給排水工事とは、排水用の側溝や排水用パイプに関する工事のことである。
【００３０】
以上が目盛機構ｂの構成である。
【００３１】
さらに前記給排水工事の左排水勾配目盛１５と、右排水勾配目盛１６の位置は、図１、３に図示されているように、角度目盛８として、「０」と「０」を指示する目盛線よりも、若干上方部に目盛線が２体形成されている。下方の目盛線が「１／１００」であり、上方の目盛線が「１／５０」である。
【００３２】
ｃは一端部を前記目盛機構ｂの目盛板部５を構成する内側窓孔６よりも内側部にして且下方の中央部に１８０度回動自在に枢着せしめるアングル竿体である。
【００３３】
その具体的構成は以下のとおりである。
【００３４】
１７は前記目盛機構ｂとアングル竿体ｃの前方端部１５ａとを枢着する枢着部である。
【００３５】
前記アングル竿体ｃは、切欠された切欠部１８の表面部１９と、前記目盛機構ｂに枢着して前記目盛機構ｂを構成する目盛板部５の裏面部５ａと摺動するように枢着している。
【００３６】
そしてこのアングル竿体ｃは、前記アングル竿体ｃの底面部２１が前記定規体ａの上面部２に密着したとき、水平となるように、前記アングル竿体ｃの上面部２０から見いるようにして水平用気泡管２２を内設する。２３は前記水平用気泡管２２内の気泡２４を指示する２本の指示線である。さらに前記アングル竿体ｃの内部には、前記水平用気泡管２２と同じく垂直用気泡管２５を内設するが、前記水平用気泡管２２と異なり、前記アングル竿体ｃの底面部２１が前記定規体ａの上面部２に密着したとき、水平を指示するように、前記アングル竿体ｃの左側面部２６からでも、右側面部２７からでも、見いるように前記アングル竿体ｃ内に内設する。２８は前記垂直用気泡管２５を構成する気泡２９を支持する２本の指示線である。
【００３７】
前記両気泡管２２、２５中、水平測定のときは、前記アングル竿体ｃの上面部２０を見れば良いし、垂直測定のときは、前記アングル竿体ｃの左右何れから側面部２６、２７を見ればよい。
【００３８】
３０は前記アングル竿体ｃの後方部１５ｂに不使用時には収納し、使用時には取出すように前記アングル竿体ｃの両側面部２６、２７と平行状態に軸着した押え板である。３１は前記押え板３０の枢軸部である。さらに前記押え板３０は、前記アングル竿体ｃ内に収納した際、前記アングル竿体ｃの一部分が後方端部１５ｂより若干飛出する大きさにて形成する。そのため押え板３０を取出すときは、飛出状態の押え板３０を手指で引掛ければ、容易に取出すことができる。
【００３９】
３２は前記アングル竿体ｃに内設した前記気泡管２２、２５等の竿杆ｃを構成する切欠部３３の基部３４より前記気泡管２２、２５及び押え板３０の方向に喰込んだ内側部位に、前記アングル竿体ｃの上面部２０より底面部２１方向にして、しかも前記アングル竿体ｃの両側面部２６、２７と平行に設けた目盛板部５の嵌挿部である。前記嵌挿部３２内に目盛機構ｂの目盛板部５の外周部分が前記アングル竿体ｃの回動時に嵌挿している。
【００４０】
上記切欠部３３の構造をさらに具体的に説明すると、前記アングル竿体ｃの上面部２０の前方半分から左側面部２６及び底面部２１の半分を切欠して形成したものである。
【００４１】
３５は前記切欠部３３の後方部位に前記アングル竿体ｃに延設のすて木３６を挿入する嵌挿部である。３７はスライドするすて木３６を固定する固定部である。
【００４２】
前記アングル竿体ｃにおいて、両方の気泡管２２、２５が内設されている部位と押え板３０を収納する部位は、縦断面が四角形状となっている。
【００４３】
以上の構成からアングル竿体ｃが形成されている。
【００４４】
前記定規体ａと目盛機構ｂとアングル竿体ｃを組立てるに、第一実施例の場合、定規体ａを垂直状に立てた状態にして、前記定規体ａの左端部寄りの右側面部４に固着する。
【００４５】
さらに第二実施例の場合、垂直状に立てた前記定規体ａの中央部に前記目盛機構ｂの中心頂部の数字「０」を通る垂直上に位置せしめて第一実施例と同じように右側面部４に密着せしめ固着する。
【００４６】
つぎに前記のように組立てた目盛機構ｂの目盛板部５の外周部分がアングル竿体ｃの嵌挿部３２内に嵌挿可能とし、アングル竿体ｃの一端部を前記目盛機構ｂを構成する目盛板部５の内側の下方中心部に回動自在に枢着する。その結果前記アングル竿体ｃの底面部２１が前記定規体ａの上面部２に密着する。
【００４７】
３８は内側窓孔６に常時嵌挿している基準線３９を有する指示部である。この指示３８の下方部は前記アングル竿体ｃに固着し、前記竿体ｃが回動に比例し、前記内側窓孔６間をスライドする。
【００４８】
ｄは前記定規体ａに対し回動する前記アングル竿体ｃが、回動して所定の目盛を指示し、さらに前記のように指示している目盛の指示状態を固定させたり、あるいは他の測定のために前記アングル竿体ｃを弛緩させたりする外側窓孔７より目盛板部５上に突設する固定機構である。４０は前記固定機構ｄを構成するハンドルである。前記固定機構ｄの下方部は前記アングル竿体ｃに固着されている。
【００４９】
前記定規体ａの中央部に前記目盛機構ｂを固着させる前記した第２実施例の丸ノコカッタ定規は、板金業者が使用すると極めて便利である。
【００５０】
４１は前記目盛板部５の左側方端部４２に形成した不使用時に整理整頓のために引掛けるための小孔である。
【００５１】
４３は前記定規体ａと前記目盛機構ｂとを固着する取着部である。
【００５２】
つぎに本発明のカッタ定規の作用につき説明する。
【００５３】
前記本発明のカッタ定規は、前記したとおり、目盛機構ｂが定規体ａの一端部寄りに固着するタイプ（以下タイプＡという。）と、目盛機構ｂが定規体ａの中央部に位置し固着するタイプ（以下タイプＢという。）がある。
【００５４】
本発明のカッタ定規の構造上の特長は、前述したとおりであるが、カッタ定規を使用して各測定を行うときは以下のようにする。
【００５５】
第１に被測定物等に対する水平測定をするには以下のようにする。
【００５６】
本発明のカッタ定規を構成している定規体ａとアングル竿体ｃとを図１のように密着させたまま、図１１に図示されているように、例えば水平状土台４４の上面に定規体ａの底面部１を載せてやる。そのときアングル竿体ｃの水平用気泡管２２が指示線２３内にありや否やをチェックすることによって、前記土台４４の水平測定ができる。従って別設の水平器を使用する必要がない。
【００５７】
第２に被測定物の勾配測定をするときも、図１３のように、定規体ａの底面部１を側壁板４５の傾斜面に当て、アングル竿体ｃを固定機構ｄのハンドル４０をゆるめ、スライドさせて、水平用気泡管２２を前記のように指示線２３内に位置させる。前記のように水平用気泡管２２が指示線２３内に位置したら、基準線３９が指示する右平勾配目盛１４をみることによって勾配測定ができる。
【００５８】
第３に前記第２の勾配測定とは若干異なった測定として、図１４、１５がある。
【００５９】
図１４は、タイプＡのカッタ定規を使用した場合であるが、この場合はアングル竿体ｃの垂直用気泡管２５を右側方の柱４６の外側面に当てて、垂直出しをし、傾斜している屋根の側面に定規体ａを合致させる。そして基準線３９が指示する勾配目盛の数字を読み屋根の勾配を測定する。
【００６０】
上記のようにカッタ定規によって右側屋根の勾配測定をするときは、各目盛は、表面に表われている。そして固定機構ｄを固定すれば指示する数字が変化しない。
【００６１】
他方タイプＡの定規によって左側方の屋根勾配を測定するときは、目盛機構ｂの目盛板部５は裏面部を表面に表わして測定することになる。がしかし他は前記の操作手順と変わらない。従ってこの測定の場合は、勾配目盛が直接見えないので、前記固定機構ｄをもって固定すれば正確に測定できる。従ってこの測定手段では、直接目盛をみることができない。
【００６２】
第４に本発明カッタ定規のタイプＢの定規体ａの場合は、図１４、１５のように左右両側方の屋根勾配の測定時において、目盛機構ｂの各目盛が表面に出ている。従って勾配測定の数字を直ちに見ることができる。
【００６３】
つぎに本発明カッタ定規のタイプＡ及びタイプＢを構成するアングル竿体ｃにおいて、気泡管を一個内設のときは、水平用気泡管２２であり、気泡管を２個内設するときは、水平用気泡管２２と垂直用気泡管２５である。
【００６４】
上記のように各気泡管２２、２５を内設することによって、別設の水平器を使用する必要がない。従って作業能率は良好である。
【００６５】
さらに本発明のカッタ定規を使用して、被切断板物ｅ（以下板物という。）をカッティングするときは、下記のようにする。
【００６６】
第１にアングル竿体ｃ内に出入自在となって収納している押え板３０のはみ出ている部分を手指で引掛け、前記アングル竿体ｃより突出させた後、板物ｅの前方縁部４７に、前記アングル竿体ｃの底面部２１を当て密着させる。前記アングル竿体ｅの底面部２１を密着させると同時に、所定の角度で前記板物ｅをカットしたいときは、固定機構ｄのハンドル４０を締め付けて指示する角度数字を維持せしめる。
【００６７】
そして前記押え板３０を図１６、１７、１８のように前記板物ｅの上面に載せて、目盛板部５等を手指で押えるようにすると、本発明のカッタ定規が動揺しない。そしてカッタｋを定規体ａの水平状の底面部１に沿ってカットしながら移動する。
【００６８】
図１６は、目盛部５の表面を出してカッタｋが板物ｅをカットしているときのカッタ定規とカッタｋの平面図である。
【００６９】
さらに本発明は、カッタ定規の定規体より幅の広い材料を切断する場合、予めカットする角度にカッタ定規を合わせ、図１６のように目盛板５を表に出してカットし、定規体の端にカッタＫを止め、カッタ定規を裏側図１７のようにカッタＫに合わせて、続きを切断する。
【００７０】
図１７は、目盛板部５が裏面に出ているとき本発明カッタ定規とカッタｋの板物ｅをカットしているときの平面図である。
【００７１】
図１８は、目盛板部５の各目盛を裏面に出し、板物ｅをカッタｋが所定の勾配をもってカットしているときの平面図である。
【００７２】
さらに本発明においてタイプＢのカッタ定規を使用し、板物ｅをカットしているときの平面図はないが、前述したときと殆んど変らない。
【００７３】
つぎに板物ｅ等をカッタｋを介してカットするとき、定規体ａは、前記した図１６、１７、１８のように、板物ｅ上に本発明のカッタ定規を載せ、所定の角度目盛８…もしくは勾配目盛１０…をアングル竿体ｃを回動させて出し、所定の目盛が出たらハンドル４０を回動して前記アングル竿体ｃを固定する。しかる後所定位置の貫通孔４ａにピン又はカルコ等を挿込み突刺すと、定規体ａが固定する。
【００７４】
前記のようにピン又はカルコ等を挿込み突刺すると、定規体ａが固定し板物ｅの所定位置をカッタｋによるカッティングがスムーズにできる。
【００７５】
さらに配水管（図示なし）の勾配測定をするときは、アングル竿体ｃに内設の水平用気泡管２２から水平を出しながら、既設の配水管に定規体ａの底面部１を密着させることによって、基準線３９が指示する排水用の左、右両排水勾配目盛１５、１６をみて測定する。本発明の排水勾配目盛１５、１６は、目盛板部５の左右両サイドにして、しかも下方部に２目盛設けているが、この目盛数に限定しない。
【００７６】
さらに前記アングル竿体ｃの嵌挿部３２内に外周部分が嵌挿している目盛板部５が、部分的ではあるが、確実に嵌挿している。従って前記目盛板部５が変形したりしない利点を有している。
【００７７】
【発明の効果】
請求項１記載の発明は、内側に湾曲状の窓孔を有する板状定規体の一側面部の所定個所に固着する角度目盛及び勾配目盛を付記した目盛機構と、内側部に水平用気泡管を単独に設けるか、あるいは水平用気泡管と垂直用気泡管を設け、且所定個所に収納し、出入自在な押え板を取着せしめたアングル竿体を別設し、前記アングル竿体の一端部と前記目盛機構に対し回動可能に前記目盛機構を構成する中央部位の下方部とを回動自在に枢着せしめ、前記アングル竿体に固着の基準線を有する指示部によって前期目盛機構の各種の角度目盛及び勾配目盛を指示測定せしめる丸ノコカッタ定規なので、従来から実施してきた角度測定又は勾配測定時において、別設の水平器を使用することなく、アングル竿体に内設の水平用気泡管等を見ることによって、あるいは水平を出しながら、角度測定又は勾配測定をスムーズに行い、作業能率を著しく向上せしめる利点を有している。
【００７８】
さらに本発明は、前記アングル竿体内に、前記目盛板部や板状定規体と平行にして、且出入自在に設けた押え板を引き出して板物に載置し、目盛機構や定規体を手指で軽く押さえつけることによって、カッタによる板物のカット時において、本発明のカッタ定規体が安定し、板物のカッティングが確実に且スムーズにできる。
【００７９】
請求項２記載の発明は、前記出入自在なアングル竿体の押え板は、収納時には前記アングル竿体の端部よりはみ出し、前記アングル竿体の底面部よりはみ出さないようにした丸ノコカッタ定規なので、請求項１記載の発明と同じ効果と、さらに押え板のはみ出し部分を手指で引掛けるだけで、スムーズに飛出できる利点を有している。
【００８０】
請求項３記載の発明は、前記定規体は、定規体を構成する左側面部から右側面部に貫通する止めピン又はカール等の止め具を挿入突刺する小孔を複数形成せしめた丸ノコカッタ定規なので、請求項１及び同２記載の発明と同じ効果を有していると共に、板物のカッティング作業時に、小孔に止め具を挿入し、板物に突刺し、本発明のカッタ定規をより一層強固に固定せしめた。
【００８１】
請求項４記載の発明は、前記定規体の一側面部と密着状に取着する目盛機構の取付け位置を、前記定規体の中央部とする丸ノコカッタ定規なので、前記請求項１、同２及び同３記載の発明と同じ効果を有していると共に、各測定目盛を表面に出して勾配測定ができる利点がある。
【００８２】
請求項５記載の発明は、前記アングル竿体の前記気泡管を内設せしめる部材部分の縦断面が、四角形状である丸ノコカッタ定規なので、前記請求項１、同２、同３及び同４記載の発明と同じ効果を有していると共に、内設の気泡管をみながら水平等の測定が容易にできる利点を有している。
【００８３】
請求項６記載の発明は、前記目盛機構の目盛板部を構成する内側窓孔と外側窓孔との間の部位に付した左側方及び右側方の勾配目盛より下方部に給排水工事用排水勾配目盛を夫々付記した丸ノコカッタ定規なので、前記請求項１、同２、同３、同４及び同５記載の発明と同じ効果を有すると共に、排水工事時の側溝や排水パイプの勾配測定を迅速且簡便に測定ができる利点を有している。
【図面の簡単な説明】
【図１】本発明丸ノコカッタ定規の一部切欠正面図である。
【図２】第２実施例の丸ノコカッタ定規の一部切欠拡大縦断正面図である。
【図３】同定規を構成する定規体と目盛機構の一部切欠拡大正面図である。
【図４】同定規の平面図である。
【図５】同定規の右側面図である。
【図６】同目盛の寸法図である。
【図７】同目盛の文字寸法図である。
【図８】同勾配、角度換算表及び給排水勾配、角度換算表である。
【図９】同定規において、アングル竿体を若干回動せしめた状態の正面図である。
【図１０】同第３実施例の定規体の正面図である。
【図１１】図７の定規を使用して水平を測定している使用状態を示す一部切欠正面図である。
【図１２】同第３実施例の定規を使用して、勾配測定をしている状態をしめす図である。
【図１３】同第３実施例の定規を使用し、階段の勾配測定をしている状態を示す図である。
【図１４】同第１実施例の定規をもって、左右両サイドの屋根勾配を測定している状態を示す図である。
【図１５】同第３実施例の定規をもって、左右両サイドの屋根勾配を測定している状態を示す図である。
【図１６】同第１実施例の定規をもって、板物を直角状にカットしている状態の示す一部切欠平面図である。
【図１７】同第１実施例の定規をもって、図１６と反対にカッタ定規を当てて板物を直角状にカットしている状態を示す図である。
【図１８】同第１実施例の定規をもって板物を所定の角度でカッティングしている状態の平面図である。
【符号の説明】
ａ        定規体
ｂ        目盛機構
ｃ        アングル竿体
ｄ        固定機構
ｅ        板物
ｋ        カッタ
１        底面部
２        上面部
３        左側面部
４        右側面部
４ａ      貫通孔
５        目盛板部
５ａ      裏面部
６        内側窓孔
７        外側窓孔
８        角度目盛
９        内側角度目盛
１０      勾配目盛
１１      左平勾配目盛
１２      左返し勾配目盛
１３      右返し勾配目盛
１４      右平勾配目盛
１５      左排水勾配目盛
１５ａ    前方端部
１５ｂ    後方部
１６      右排水勾配目盛
１７      枢着部
１８      切欠部
１９      表面部
２０      上面部
２１      底面部
２２      水平用気泡管
２３      指示線
２４      気泡
２５      垂直用気泡管
２６      左側面部
２７      右側面部
２８      指示線
２９      気泡
３０      押え板
３１      枢軸部
３２      嵌挿部
３３      切欠部
３４      基部
３５      嵌挿部
３６      すて木
３７      固定部
３８      指示線
３９      基準線
４０      ハンドル
４１      小孔
４２      左側方端部
４３      取着部
４４      土台
４５      側壁板
４６      柱
【図１】
2004358852.tif 000003
【図２】
2004358852.tif 000004
【図３】
2004358852.tif 000005
【図４】
2004358852.tif 000006
【図５】
2004358852.tif 000007
【図６】
2004358852.tif 000008
【図７】
2004358852.tif 000009
【図８】
2004358852.tif 000010
【図９】
2004358852.tif 000011
【図１０】
2004358852.tif 000012
【図１１】
2004358852.tif 000013
【図１２】
2004358852.tif 000014
【図１３】
2004358852.tif 000015
【図１４】
2004358852.tif 000016
【図１５】
2004358852.tif 000017
【図１６】
2004358852.tif 000018
【図１７】
2004358852.tif 000019
【図１８】
2004358852.tif 000020